(57)【要約】【課題】  導光レンズをキャビネットの開口部に嵌合状に取り付けても、その導光レンズの背部の受光部品が、導光レンズの取付箇所の隙間を通過する静電気によって悪影響を受けることを抑制する。【解決手段】  電気機器キャビネット１の開口部１２に嵌合状に取り付けた導光レンズ４の背部に受光部品２を配備する。キャビネット１の開口部１２の周縁部から延び出た放電遮蔽片１４を抹消する代わりに、導光レンズ４に一体にレンズ付き放電遮蔽片５を形成する。レンズ付き放電遮蔽片５が、導光レンズ４の取付箇所イと受光部品２との対向空間内に位置して取付箇所イと受光部品２との間の放電路を遮蔽する。【選択図】        図１
2005252698.tif 000002
【特許請求の範囲】
【請求項１】
電気機器キャビネットの開口部に嵌合状に取り付けられた導光レンズの背部に、その導光レンズを通過した光信号を受ける受光部品が配備されていると共に、上記キャビネットの開口部の周縁部から延び出た放電遮蔽片が上記受光部品の周囲に配備されている遠隔操作用受光部品の取付構造において、
上記放電遮蔽片を上記受光部品の周囲から抹消する代わりに、上記導光レンズに一体にレンズ付き放電遮蔽片が形成され、
このレンズ付き放電遮蔽片が、上記導光レンズの前後方向中間部に連設されてその導光レンズの全周囲に張り出した横長前片部と、その横長前片部に連設されることによりその後方へ延び出て上記導光レンズの上部を覆う上片部と、この上片部の左右幅方向一端及び上記横長前片部の長手方向一端に連設されることにより上記導光レンズの片側側部を覆う側片部と、上記横長前片部に連設されて上記受光部品が搭載されている配線基板に搭載された発光素子の光を上記横長前片部の前面に導く導光部とを一体に備え、上記開口部に対する上記導光レンズの取付箇所では、上記横長前片部が上記電気機器キャビネットに具備された凹所に嵌合されていると共に、上記上片部と上記側片部とが、上記導光レンズの取付箇所と上記受光部品との対向空間内に配備されて上記対向空間に形成される上記取付箇所と上記受光部品との間の放電路を遮蔽していることを特徴とする遠隔操作用受光部品の取付構造。
【請求項２】
電気機器キャビネットの開口部に嵌合状に取り付けられた導光レンズの背部に、その導光レンズを通過した光信号を受ける受光部品が配備されていると共に、上記キャビネットの開口部の周縁部から延び出た放電遮蔽片が上記受光部品の周囲に配備されている遠隔操作用受光部品の取付構造において、
上記放電遮蔽片を上記受光部品の周囲から抹消する代わりに、上記導光レンズに一体に形成したレンズ付き放電遮蔽片を上記開口部に対する上記導光レンズの取付箇所と上記受光部品との対向空間内に配備することにより、そのレンズ付き放電遮蔽片によって上記対向空間に形成される上記取付箇所と上記受光部品との間の放電路を遮蔽したことを特徴とする遠隔操作用受光部品の取付構造。
【請求項３】
上記レンズ付き放電遮蔽片で上記受光部品を覆わせてあることを特徴とする請求項２に記載した遠隔操作用受光部品の取付構造。
【請求項４】
上記レンズ付き放電遮蔽片が、上記導光レンズの前後方向中間部に連設されてその導光レンズの全周囲に張り出した横長前片部と、その横長前片部に連設されることによりその後方へ延び出て上記導光レンズの上部を覆う上片部と、この上片部の左右幅方向一端及び上記横長前片部の長手方向一端に連設されることにより上記導光レンズの片側側部を覆う側片部と、上記横長前片部に連設されて上記受光部品が搭載されている配線基板に搭載された発光素子の光を上記横長前片部の前面に導く導光部とを一体に備えている請求項２又は請求項３に記載した遠隔操作用受光部品の取付構造。
【発明の詳細な説明】
【技術分野】
【０００１】
本発明は、遠隔操作用受光部品の取付構造、特に電気機器キャビネットの開口部に取り付けられた導光レンズの背部に受光部品が配備されていて、その受光部品に静電気などによる悪影響が及ばないようにすることを意図した対策が講じられている遠隔操作用受光部品の取付構造に関する。
【背景技術】
【０００２】
図４にこの種の遠隔操作用受光部品の取付構造の従来例を説明的に示した断面図であり、１は電気機器キャビネットであり、このキャビネット１としては、たとえばテレビジョン受像機やディスクドライブ装置といった音響映像機器のフロントキャビネットやフロントパネルなどが相当している。キャビネット１の内部に受光部品２を搭載した配線基板３が収容されていて、その受光部品２が、上記キャビネット１の開口部１２に取り付けられた導光レンズ４の背部に配備されている。そして、リモートコントローラ（不図示）などから出た光信号が導光レンズ４を通過すると、その光信号を受光部品２が受け、その光信号が光電変換されて制御信号として使用される。
【０００３】
この取付構造において、キャビネット１の開口部１２に対する導光レンズ４の取付箇所イでは、柱状に形成された導光レンズ４の前後方向中間部に一体に設けられている鍔形部４１が、キャビネット１の開口部１２に形成されている凹所１３に嵌合されていると共に、導光レンズ４の前端部４ａは開口部１２に挿入されている。また、キャビネット１には、開口部１２の周縁部から後方へ延び出た放電遮蔽片１４が備わっていて、この放電遮蔽片１４が受光部品２の上部を覆っている。この従来例によれば、静電気が放電遮蔽片１４の上方から作用して受光部品２に悪影響を与えるという事態がその放電遮蔽片１４によって抑制される。
【０００４】
他の従来例として、上記導光レンズに相当するリモコン用受光レンズの取付構造についての技術が提案されている（たとえば特許文献１参照）。このものによれば、キャビネットの筒状部に嵌合させた受光レンズの前端の鍔状部と後端のフックとによって上記筒状部を挾んでいる。さらに他の従来例として、リモコン受光装置の赤外線透過窓を、空調機外郭の開口に嵌め込んだフレネルレンズで形成すると共に、そのフレネルレンズをスイッチボタンとしての機能を持たせたものが提案されている（たとえば特許文献２参照）。さらに他の従来例として、キャビネットに筒状の信号誘導部材（受信窓）を形成し、その信号誘導部材の内面で光信号を反射させて受光素子に導くという技術が提案されている（たとえば特許文献３参照）。
【特許文献１】実用新案登録第３０８８３７１号公報
【特許文献２】特開平１０−２７６４８５号公報
【特許文献３】特開平１０−２１０５７８号公報
【発明の開示】
【発明が解決しようとする課題】
【０００５】
図４で説明した従来の取付構造では、静電気が放電遮蔽片１４の上方から作用して受光部品２に悪影響を与えるという事態がその放電遮蔽片１４によって抑制されるけれども、キャビネット１の開口部１２に対する導光レンズ４の取付箇所イに、キャビネット１の外側と内側とを連通させるような隙間Ｓが生じていると、静電気がキャビネット１の外部からその隙間Ｓを通過してキャビネット１の内部に達し、その静電気が受光部品２に作用して悪影響を及ぼすという事態が起こり得る。言い換えると、キャビネット１の開口部１２の周縁部に放電遮蔽片１４を連設しておいても、その放電遮蔽片１４が、上記隙間Ｓを通過する静電気を遮蔽することには役立っていないという問題があった。
【０００６】
そこで、従来は、受光部品２とキャビネット１の前面との前後間隔Ｈを広くすることによって、隙間Ｓを通過する静電気によって受光部品２が悪影響を受けないようにしていたため、そのことが、キャビネット１の前後幅を小さくしてキャビネット１の小形化を図ることの阻害要因になっていた。
【０００７】
なお、上記問題は、導光レンズ４がキャビネット１の開口部１２に嵌合状に取り付けられていて、放電遮蔽片１４がキャビネット１に連設されているものによっては解決され得ない。したがって、特許文献１や特許文献２に記載されている技術はこの問題の解決策になり得ない。また、特許文献３に記載されている技術は、筒状の受信窓を受光素子の前側に配備してあるので、この技術によっても上記問題を解決することができない。
【０００８】
本発明は以上の問題や状況に鑑みてなされたものであり、導光レンズがキャビネットの開口部に嵌合状に取り付けられていても、その導光レンズの背部に配備された受光部品が、導光レンズの取付箇所の隙間を通過する静電気によって悪影響を受けることを抑制することのできる遠隔操作用受光部品の取付構造を提供することを目的とする。
【０００９】
また、本発明は、受光部品を導光レンズに近付けて配備しても受光部品に静電気による悪影響が及びにくくなるようにする対策を通じて、キャビネットの小形化を図ることが容易になる遠隔操作用受光部品の取付構造を提供することを目的とする。
【００１０】
さらに、本発明は、受光部品が静電気による悪影響を受けることを抑制するための放電遮蔽片を、電気機器キャビネットの内部に設置される発光素子の光を導く導光部材としても用い得る遠隔操作用受光部品の取付構造を提供することを目的とする。
【課題を解決するための手段】
【００１１】
本発明に係る遠隔操作用受光部品の取付構造は、電気機器キャビネットの開口部に嵌合状に取り付けられた導光レンズの背部に、その導光レンズを通過した光信号を受ける受光部品が配備されていると共に、上記キャビネットの開口部の周縁部から延び出た放電遮蔽片が上記受光部品の周囲に配備されている遠隔操作用受光部品の取付構造において、上記放電遮蔽片を上記受光部品の周囲から抹消する代わりに、上記導光レンズに一体に形成したレンズ付き放電遮蔽片を上記開口部に対する上記導光レンズの取付箇所と上記受光部品との対向空間内に配備することにより、そのレンズ付き放電遮蔽片によって上記対向空間に形成される上記取付箇所と上記受光部品との間の放電路を遮蔽した、というものである。
【００１２】
この発明によれば、たとえ導光レンズの取付箇所に存在する隙間を静電気が通過してキャビネットの内部に達したとしても、導光レンズの取付箇所と受光部品との間の放電路がそれらの対向空間内に配備されているレンズ付き放電遮蔽片によって遮られるので、受光部品が静電気の悪影響を受けることがない。言い換えると、導光レンズの取付箇所から受光部品に至るまでの沿面距離がレンズ付き放電遮蔽片によって長く延長されて受光部品に静電気による悪影響が及びにくくなる。また、受光部品を導光レンズに近付けて配備したとしても、レンズ付き放電遮蔽片によって導光レンズの取付箇所から受光部品に至るまでの沿面距離が長く延長されていることにより、その受光部品に静電気による悪影響が及ぶことがなくなり、このことが、キャビネットの小形化を促進することに役立つ。
【００１３】
本発明では、上記レンズ付き放電遮蔽片で上記受光部品を覆わせてあることが望ましく、これによれば、静電気による悪影響が受光部品にいっそう及びにくくなる。
【００１４】
本発明では、上記レンズ付き放電遮蔽片が、上記導光レンズの前後方向中間部に連設されてその導光レンズの全周囲に張り出した横長前片部と、その横長前片部に連設されることによりその後方へ延び出て上記導光レンズの上部を覆う上片部と、この上片部の左右幅方向一端及び上記横長前片部の長手方向一端に連設されることにより上記導光レンズの片側側部を覆う側片部と、上記横長前片部に連設されて上記受光部品が搭載されている配線基板に搭載された発光素子の光を上記横長前片部の前面に導く導光部とを一体に備えている、という構成を採用することが可能である。これによれば、受光部品が静電気による悪影響を受けることを抑制するためのレンズ付き放電遮蔽片を、電気機器キャビネットの内部に設置される発光素子の光を導く導光部材としても用いることが可能になる。
【００１５】
本発明に係る遠隔操作用受光部品の取付構造は、電気機器キャビネットの開口部に嵌合状に取り付けられた導光レンズの背部に、その導光レンズを通過した光信号を受ける受光部品が配備されていると共に、上記キャビネットの開口部の周縁部から延び出た放電遮蔽片が上記受光部品の周囲に配備されている遠隔操作用受光部品の取付構造において、上記放電遮蔽片を上記受光部品の周囲から抹消する代わりに、上記導光レンズに一体にレンズ付き放電遮蔽片が形成され、このレンズ付き放電遮蔽片が、上記導光レンズの前後方向中間部に連設されてその導光レンズの全周囲に張り出した横長前片部と、その横長前片部に連設されることによりその後方へ延び出て上記導光レンズの上部を覆う上片部と、この上片部の左右幅方向一端及び上記横長前片部の長手方向一端に連設されることにより上記導光レンズの片側側部を覆う側片部と、上記横長前片部に連設されて上記受光部品が搭載されている配線基板に搭載された発光素子の光を上記横長前片部の前面に導く導光部とを一体に備え、上記開口部に対する上記導光レンズの取付箇所では、上記横長前片部が上記電気機器キャビネットに具備された凹所に嵌合されていると共に、上記上片部と上記側片部とが、上記導光レンズの取付箇所と上記受光部品との対向空間内に配備されて上記対向空間に形成される上記取付箇所と上記受光部品との間の放電路を遮蔽している、という構成を採用することによっていっそう具体化される。この発明についての作用は、後述する実施形態を参照して詳細に説明する。
【発明の効果】
【００１６】
以上のように、本発明によれば、キャビネットの開口部に対する導光レンズの取付箇所の隙間に起因して、受光部品が静電気による悪影響を受けるという問題が解消されるので、導光レンズがキャビネットの開口部に嵌合状に取り付けられているものについて、受光部品を静電気から有効に防護することが可能であるという効果が奏される。そのため、遠隔操作性能に優れた受光部品取付構造を提供することが可能になる。また、受光部品を導光レンズに近付けて配備しても、その受光部品に静電気による悪影響が及びにくいので、キャビネットの前後幅を短くしてそのキャビネットの小形化を図りやすくなるという利点もある。
【００１７】
さらに、レンズ付き放電遮蔽片を、電気機器キャビネットの内部に設置される発光素子の光を導く導光部材として用い得るようにすることも可能であり、そうしておくことによって、発光素子の光を導く導光部材を別に設ける必要がなくなってそれだけ部品点数の削減とコストダウンを図りやすくなる。
【発明を実施するための最良の形態】
【００１８】
図１は本発明の実施形態に係る遠隔操作用受光部品の取付構造を説明的に示した断面図、図２はレンズ付き放電遮蔽片５の概略斜視図である。
【００１９】
図１の取付構造では、図４で説明した従来例の放電遮蔽片１４を受光部品２の周囲から抹消している。そして、その代わりに、導光レンズ４に一体にレンズ付き放電遮蔽片５が形成されている。
【００２０】
図２に示したように、レンズ付き放電遮蔽片５は、導光レンズ４の前後方向中間部に連設されてその導光レンズ４の全周囲に張り出した横長前片部５１と、その横長前片部５１の上縁部に連設されることによりその後方へ延び出て導光レンズ４の上部を覆う上片部５２と、この上片部５２の左右幅方向一端及び横長前片部５１の長手方向一端に連設されることにより導光レンズ４の片側側部を覆う側片部５３と、横長前片部５１の複数箇所に連設された曲り軸形の導光部５４とを備えている。そして、図１に示したキャビネット１の開口部１２に対する導光レンズ４の取付箇所イでは、横長前片部５１がキャビネット１に具備されている凹所１５に嵌合されていると共に、導光レンズ４の前端部４ａは開口部１２に挿入されている。また、上片部５２と側片部５３（図２参照）とが、導光レンズ４の取付箇所イと受光部品２との対向空間内に配備されて上記対向空間に形成される上記取付箇所イと受光部品２との間の放電路を遮蔽している。なお、導光レンズ４の前端部４ａとは、柱状の導光レンズ４の全長部分のうち、横長前片部５１の前方に突き出した部分を指している。また、図１及び図２には、柱状の導光レンズ４の全長部分のうち、横長前片部５１の後方に突き出した部分を後端部として符号４ｂを付してある。その他の構成は図４で説明した従来例と同様であるので、同一部分に同一符号を付して詳細な説明を省略してある。
【００２１】
この構成であれば、たとえ導光レンズ４の取付箇所イに存在する隙間Ｓを静電気が通過してキャビネット１の内部に達したとしても、導光レンズ４の取付箇所イと受光部品２との間の放電路がそれらの対向空間内に配備されているレンズ付き放電遮蔽片５によって遮られるので、受光部品２に静電気の悪影響が及ばない。すなわち、導光レンズ４の取付箇所イから受光部品２に至るまでの沿面距離がレンズ付き放電遮蔽片５によって長く延長されて受光部品２に静電気による悪影響が及びにくくなる。特に、この実施形態では、受光部品２の前方に横長前片部５１が位置し、かつ、その上方と側方とに上片部５２と側片部５３とが位置することによって、その受光部品２の周囲がそれらによって覆われているために、上記隙間Ｓが存在することに起因して受光部品２に静電気の悪影響が及ぶということが良好に防止される。
【００２２】
また、この実施形態のように、上記隙間Ｓが存在することに起因して受光部品２に静電気の悪影響が及ぶということが防止されていると、受光部品２を導光レンズ４に近付けて配備することが可能であり、そのようにしたとしても、レンズ付き放電遮蔽片５によって導光レンズ４の取付箇所イから受光部品２に至るまでの沿面距離が長く延長されていることにより、その受光部品２に静電気による悪影響が及ぶことがない。そのため、受光部品２を導光レンズ４に近付けて配備することによって受光部品２とキャビネット１の前面との前後間隔Ｈを狭くするという対策を講じることによってキャビネット１に要求される前後幅が短くなり、その結果、キャビネット１の小形化が促進されるようになる。
【００２３】
この実施形態では、レンズ付き放電遮蔽片５が横長前片部５１を備えていて、その横長前片部５１の複数箇所に曲り軸形の導光部５４を連設してある。そのため、受光部品２が搭載されている配線基板３の複数箇所にＬＥＤなどの発光素子６を搭載し、それらの発光素子６の光を各別の導光部５４によって横長前片部５１の前面に導くことが可能である。そして、そのように構成すると、電気機器の選択されたモードを発光素子６の発光や点滅によってユーザに知らせる場合に、導光部材をレンズ付き放電遮蔽片５とは別に設置する必要がなくなり、それだけ部品点数が削減されると共に、導光部材の設置スペースも節減されるという利点が生じる。
【００２４】
図３は他の実施形態に係る遠隔操作用受光部品の取付構造を説明的に示した断面図である。この事例は、レンズ付き放電遮蔽片５をキャビネット１に沿って立ち上げている点が、図１で説明したものと異なっている。このものによっても、たとえ導光レンズ４の取付箇所イに存在する隙間Ｓを静電気が通過してキャビネット１の内部に達したとしても、導光レンズ４の取付箇所イと受光部品２との間の放電路がそれらの対向空間内に配備されているレンズ付き放電遮蔽片５によって遮られるので、受光部品２に静電気の悪影響が及ばない。すなわち、導光レンズ４の取付箇所イから受光部品２に至るまでの沿面距離がレンズ付き放電遮蔽片５によって長く延長されて受光部品２に静電気による悪影響が及びにくくなる。その他の事項は図１で説明したところと同様であるので、同一部分に同一符号を付して詳細な説明を省略する。
【図面の簡単な説明】
【００２５】
【図１】本発明の実施形態に係る遠隔操作用受光部品の取付構造を説明的に示した断面図である。
【図２】レンズ付き放電遮蔽片の概略斜視図である。
【図３】他の実施形態に係る遠隔操作用受光部品の取付構造を説明的に示した断面図である。
【図４】従来例を説明的に示した断面図である。
【符号の説明】
【００２６】
１  キャビネット
２  受光部品
３  配線基板
４  導光レンズ
５  レンズ付き放電遮蔽片
６  発光素子
１２  開口部
１４  放電遮蔽片
１５  凹所
５１  横長前片部
５２  上片部
５３  側片部
５４  導光部
イ  導光レンズの取付箇所
【図１】
2005252698.tif 000003
【図２】
2005252698.tif 000004
【図３】
2005252698.tif 000005
【図４】
2005252698.tif 000006